(57)【要約】【課題】複数の液晶パネルを縦方向及び／又は横方向に継ぎ合わせた継ぎ目部を有する液晶表示装置において、継ぎ目部分での遮光部の幅がある程度大きくても継ぎ目が目立たないようになるとともに、斜線を表示しても継ぎ目部分を挟んでの斜線の曲がりが少なくなるようにする。【解決手段】液晶表示装置１０を構成する各液晶パネル１２は、縦方向に延びる複数の画素列と横方向に延びる複数の画素行を有しているとともに、前記各画素の周りに遮光部を有しており、前記各画素の大きさＭ１、Ｍ２、Ｍ３・・・を継ぎ目部１２’から離れるにしたがって順次大きくなるようにし、前記縦方向に延びる画素列間の遮光部の幅Ｓ１、Ｓ２、Ｓ３・・・を前記継ぎ目部１２’から離れるにしたがって前記継ぎ目部の遮光部の幅２ｒよりも順次小さくなるようにする。【選択図】　　図１
2004125848.tif 000002
【特許請求の範囲】
【請求項１】
複数の液晶パネルを縦方向及び／又は横方向に継ぎ合わせた継ぎ目部を有する液晶表示装置において、
各前記液晶パネルには周辺を遮光部で囲まれた画素が複数形成されており、
該画素は縦方向にのびる複数の画素列及び／又は横方向にのびる複数の画素行を形成しており、
前記各画素の大きさは、前記継ぎ目部から離れるにしたがって、前記継ぎ目部に最も近い画素の大きさよりも順次大きくされ、
隣り合う前記画素列間の遮光部の幅及び／又は隣り合う前記画素行間の遮光部の幅は、前記継ぎ目部から離れるにしたがって、前記継ぎ目部の遮光部の幅よりも順次小さくなるようになされている、
ことを特徴とする液晶表示装置。
【請求項２】
前記各画素の大きさが予め定めた所定値に達した場合には前記継ぎ目部から離れても該所定値に維持され、さらに、
隣り合う前記画素列間の遮光部の幅及び／又は隣り合う前記画素行間の遮光部の幅も、それぞれ予め定めた所定値に達した場合には前記継ぎ目部から離れても該所定値に維持されていることを特徴とする請求項１に記載の液晶表示装置。
【請求項３】
前記各画素のピッチが前記各液晶パネル全体にわたり一定とされていることを特徴とする請求項１又は２に記載の液晶表示装置。
【請求項４】
複数の液晶パネルを縦方向及び／又は横方向に継ぎ合わせた継ぎ目部を有する液晶表示装置において、
各前記液晶パネルには複数の画素が形成されると共に、周辺を遮光部で囲んで配置された複数の画素群が形成されており、
該画素群は周辺を遮光部で囲まれた複数の画素を寄り集めるようにして構成すると共に、前記隣り合う画素群間の遮光部の幅が前記画素群内の各画素間の遮光部の幅より広くなっており、
該画素群は縦方向にのびる複数の画素群列及び／又は横方向にのびる複数の画素群行を形成しており、
前記各画素群の大きさは、前記継ぎ目部から離れるにしたがって、前記継ぎ目部に最も近い画素群の大きさよりも順次大きくされ、
隣り合う前記画素群列間の遮光部の幅及び／又は隣り合う前記画素群行間の遮光部の幅は、前記継ぎ目部から離れるにしたがって、前記継ぎ目部の遮光部の幅よりも順次小さくなるようになされている、
ことを特徴とする液晶表示装置。
【請求項５】
前記各画素群の大きさは、前記各画素群中の各画素の大きさを前記各画素群が前記継ぎ目部から離れるにしたがって順次大きくすることにより、前記継ぎ目部から離れるにしたがって前記継ぎ目部に最も近い画素群の大きさよりも順次大きくなるようになされていることを特徴とする請求項４に記載の液晶表示装置。
【請求項６】
前記各画素群の大きさは、前記各画素の大きさを全て同一とし、前記各画素群内の各画素間の遮光部の幅を変えることにより、前記継ぎ目部から離れるにしたがって前記継ぎ目部に最も近い画素群の大きさよりも順次大きくなるようになされていることを特徴とする請求項４に記載の液晶表示装置。
【請求項７】
前記隣り合う画素群間の遮光部の幅及び前記各画素群の大きさは、それぞれ予め定めた所定値に達した場合には、前記継ぎ目部から離れても該所定値に維持されていることを特徴とする請求項４〜６の何れかに記載の液晶表示装置。
【請求項８】
前記各画素群が縦２つ及び横２つの画素からなる計４個の画素からなることを特徴とする請求項４〜６の何れかに記載の液晶表示装置。
【請求項９】
前記各画素群間のピッチが前記各液晶パネル全体にわたり一定とされていることを特徴とする請求項４〜６の何れかに記載の液晶表示装置。
【発明の詳細な説明】
【０００１】
【発明の属する技術分野】
本発明は液晶パネルを複数継ぎ合わせて用いた液晶表示装置に関し、特に液晶パネルを継ぎ合わせた際の継ぎ目を目立たなくするとともに、まっすぐな斜線を表示した際にまっすぐな斜線を表示できるようにした液晶表示装置に関するものである。
【０００２】
【従来の技術】
近年、ＡＶ（Ａｕｄｉｏ　Ｖｉｓｕａｌ）機器、屋外動画表示装置等、大型の表示装置に対する需要がますます拡大している。その中にあって、薄型化可能、低消費電力等様々な利点を有する液晶パネルを用いた大型の液晶表示装置に対する期待が特に高まっている。この大型の液晶表示装置に用いられている液晶パネルには、１枚の大型のガラス基板を用いて造られているものもあるが、歩留まり等の点から、小型あるいは中型の液晶パネルを複数枚用いて、これらの液晶パネルを継ぎ合わせることにより１枚の大型液晶パネルが造られているものも多い。
【０００３】
【特許文献１】
特開平１０−９６９１１１
【０００４】
【発明が解決しようとする課題】
一方、液晶パネルを継ぎ合わせた表示装置の場合、映像を表示した際に継ぎ目部分が目立ってしまい、観察者に違和感を与えてしまうという問題がある。この継ぎ目部分が目立ってしまうという問題を解決するものとして、複数の液晶パネルを継ぎ合わせる際に継ぎ合わせる側における遮光部の幅を通常よりも狭くしたものが知られている。
【０００５】
例えば、図８は、複数の液晶パネルを組み合わせて大型液晶パネル１００を構成する４枚の液晶パネル１０２の内、特に左下に位置する液晶パネル１０２を中心に拡大した平面図である。
【０００６】
図８に示すように、液晶パネル１０２における隣り合う画素１０４との遮光領域の幅ｄ１、ｄ２、・・・、ｄｎは液晶パネル１０２全体にわたり常に等しく形成されている。すなわちｄ１＝ｄ２＝・・・＝ｄｎとなっている。
【０００７】
一方、液晶パネル１０２の継ぎ合わせ側に位置する側面を接続側面１０２ａとし、最も接続側面１０２ａに近い画素１０４から接続側面１０２ａまでの幅をｇとすると、大型液晶パネル１０１における液晶パネル１０２の継ぎ目部分での画素１０４間の幅だけがｇの２倍になる。ここでｄ１＝ｄ２＝・・・＝ｄｎ＝２ｇであれば大型パネル１００全体において違和感のない表示が可能となる。
【０００８】
しかし、一対の透明基板を貼り合せて造る液晶パネル１０２においては、総ての画素１０４を囲むようにして基板を貼り合せ用シール材が塗布されている等の理由があり、継ぎ目部分における幅ｇを短くするのにも限界がある。そのため通常ｇはｄ１、ｄ２、・・・、ｄｎよりずいぶん大きくなってしまう。
【０００９】
したがって、継ぎ目部分での画素１０４間の幅２ｇが画素１０４同士の間隔に比べると著しく大きくなってしまう。このため図９のように、大型液晶パネル１０上に黒い十字のような感じで継ぎ目部分だけが観察者に認識され、非常に継ぎ目が目立ってしまうという問題が生じる。
【００１０】
一方、本願の発明者は、画素の大きさを変化させずとも液晶パネル同士の継ぎ目が目立たず、また表示品位の高い液晶表示装置を得る目的で、既に特願２００２−２１５３９３号及び特願２００２−１９３５７１号の２つの発明についての特許出願を行っている。
【００１１】
このうち特願２００２−２１５３９３号（以下、「先願１」という。）に開示された発明は、液晶パネルを横方向へ継ぎ合わせた液晶表示装置において、一対の基板を貼り合せてなる前記液晶パネルは縦方向に伸びる複数の画素列を形成すると共に、前記画素列の周りに遮光部を形成しており、隣り合う前記画素列が前記遮光部の幅を狭めるように接近してなる画素列群が、前記液晶パネル全体にわたって複数形成されており、隣り合う前記画素列群の間の前記遮光部の幅は、前記画素列群における前記画素列の間の前記遮光部の幅より広くなっていることを特徴とするものである。
【００１２】
この先願１の液晶表示装置を図１０を用いて詳細に説明すると、次のとおりである。図１０はこの先願１の液晶表示装置に用いられる大型液晶表示装置１１０の中心付近を拡大した平面図を示している。大型液晶表示装置１１０は具体的には対角８０インチのものであり、対角４０インチの液晶パネル１１１を４枚継ぎ合わせて造られている。隣り合う液晶パネル１１１とは液晶パネル１１１の互いの接続側面１１１’において接着剤等で接続されている。ここで縦方向の接続側面１１１’を１１１’ｘ、横方向の接続側面１１１’を１１１’ｙとする。
【００１３】
各液晶パネル１１１は一対の透明基板をシール材によって貼り合わせ、両基板間に液晶を注入して造られたものである。各液晶パネル１１１にはＲ（赤）、Ｇ（緑）、Ｂ（青）のカラーフィルターを備えた３つのサブ画素（図示せず）により構成されている表示上の画素部１１２が複数形成されているとともに、画素部１１２の周りを囲んでブラックマトリクスからなる遮光部１１３が形成されている。大型液晶表示装置１１０の背後に配置されるバックライト（図示せず）からの光はこの画素部１１２を通過するとともに、この遮光部１１３において遮断される。
【００１４】
接続側面１１１’ｘと平行に伸びる画素部１１２の列を画素列Ｘｎ、この例ではＸｎはＸ１、Ｘ２、・・・、Ｘ６４０（ｎ＝６４０）とし、接続側面１１１’ｘに最も近い画素列をＸ１、接続側面１１１’ｘから最も遠い画素列をＸ６４０とする。
【００１５】
この先願１に開示された発明においては隣り合う数画素列が近寄ることによりその間の遮光部１１３の幅が狭くなっているものと、隣り合う画素列が離れることによりその間の遮光部１１３の幅が広くなっているものとがある。そしてこの接近した画素列により画素列群が形成されている。具体的には隣り合う画素列が２つずつ接近し、パネル全体にわたって画素列群Ｘ’ｉ、本実施形態においてＸ’ｉはＸ’１、Ｘ’２、・・・、Ｘ’３２０（ｉ＝３２０）が形成されている。なお画素列群Ｘ’１は画素列Ｘ１とＸ２、画素列群Ｘ’２は画素列Ｘ３とＸ４、そしてＸ’３２０はＸ６３９とＸ６４０からというようになっている。
【００１６】
このように隣り合ういくつかの画素列が接近し、画素列群を形成することで、液晶パネル１１１を継ぎ合わせた際の継ぎ目部分の幅を確保することが可能となる。図１１は従来の液晶表示装置における画素部の位置と本発明における液晶表示装置の画素部の位置との比較を示したものであり、図１１（ａ）は従来の液晶パネルにおける接続側面付近の拡大図、図１１（ｂ）は図１０に示した液晶パネルにおける接続側面付近の拡大図である。なお図１１（ａ）及び（ｂ）において同様のものを示している場合には同じ符号を付している。
【００１７】
図１１（ａ）においては、各液晶パネルにおける画素部１１２は等間隔で配置されており、６４０列からなる画素列で構成されている。各液晶パネルにおいて隣り合う画素列の間隔は等しくなっており、遮光部の幅が液晶パネル全体にわたって等しくなっている。そして継ぎ目部分を目立たなくするために、接続側面１１１’ｘに最も近い画素列Ｘ１と、隣り合う液晶パネルにおける画素列Ｘ１との間隔も、各液晶パネルにおける画素列間の間隔と等しくなっている。したがって各液晶パネルにおいては、画素列Ｘ１から接続側面１１１’ｘまでの遮光部１１３の幅をｄｔ、隣り合う画素列間の遮光部１１３の幅をｄｕとすると、ｄｔはｄｕの半分となっている。
【００１８】
一方、図１１（ｂ）では各液晶パネル１１１において隣り合う画素列が接近し画素列群Ｘ’１、Ｘ’２、・・・、Ｘ’３２０を形成している。画素列群Ｘ’１は画素列Ｘ１とＸ２とが接近して形成されている。また画素列Ｘ１は接続側面１１１’ｘとの間の遮光部１１３の幅を広げるようにして画素列Ｘ２と接近している。したがって画素列群Ｘ’１から接続側面１１１’ｘまでの遮光部１１３の幅、つまり画素列群Ｘ’１を構成する画素列Ｘ１、Ｘ２の内、画素列Ｘ１と接続側面１１１’ｘとの間の遮光部１１３の幅をｄｖとすると、ｄｖは図１１（ａ）におけるｄｔよりも広くなっている。同じパネルの大きさで、同じ数の画素部１１２を有する液晶パネルにおいて、図１１（ａ）のようにして遮光部１１３の幅ｄｔを確保することは難しいが、図１１（ｂ）のようにすれば遮光部１１３の幅ｄｖをより確保しやすくなる。
【００１９】
また、隣り合う画素列群との幅、つまり画素列群Ｘ’１と画素列群Ｘ’２の場合画素列群Ｘ’１における画素列Ｘ２と画素列群Ｘ’２における画素列Ｘ３との間の遮光部１１３の幅をｄｗとすると、ｄｗをｄｖの略２倍（ｄｗ＝２×ｄｖ）にすることにより、大型液晶表示装置１１０における画素列群は遮光部１１３の幅をｄｗとして略等間隔で液晶パネル１１１全体にわたって形成されることになるので、大型液晶表示装置１１０における液晶パネル１１１同士の縦方向の継ぎ目をより目立たなくすることができる。
【００２０】
また、図１１（ａ）において画素列Ｘ１から接続側面１１１’ｘまでの遮光部１１３の幅についてｄｖを確保し、隣り合う画素列間の遮光部１１３の幅についてｄｗを確保すると液晶パネル自体が大きくなり、遮光部１１３の占める割合も増えてしまうためパネル全体として輝度が低くなってしまうが、先願１に係る発明の液晶パネル１１１の場合はそのようなことはなく高輝度、高精細なものが実現できる。
【００２１】
また、画素列群が液晶パネル全体にわたって形成されているため、透過部１１２に形成されるスイッチング素子や遮光部１１３に位置する走査線、映像線等の配線パターンの設計は比較的容易であり、マスクパターンを削減できる等製造コストを抑えることができる。
【００２２】
以上は、横方向に複数の液晶パネルを継ぎ合わせたものについての説明であるが、縦方向についても同様であるので、その詳細な説明は省略する。したがって、上記先願１に係る発明においては液晶パネル１１１に画素列群と画素行群がともに形成されているから、液晶パネル１１１全体において縦方向と横方向の継ぎ目は目立ち難くなっているため、より表示品位の高い液晶表示装置となっている。
【００２３】
一方、特願２００２−１９３５７１号（以下、「先願２」という。）に開示された発明は、接続端面に最も近い画素列と隣り合う画素列との間の幅を液晶パネルを継ぎ合わせた際の継ぎ目部分の幅と略等しくすると共に、接続端面から離れるにしたがって画素列間の幅を短くしていくことを特徴とするものである。
【００２４】
先願２に開示されている液晶表示装置を図面を用いて詳細に説明すると、次のとおりである。図１２は、先願２に開示された液晶表示装置に用いられる大型液晶表示装置１２０を構成する４枚の液晶パネル１２１の内、左下に位置する液晶パネル１２１を中心に示した平面図である。液晶パネル１２１に形成されている画素１２２は皆同じ大きさをしている。
【００２５】
画素１２２の周りはブラックマトリクスからなる遮光領域が形成されており、この遮光領域により液晶パネル１２１の背後に配置されるバックライト（図示せず）からの光は遮光される。この液晶パネル１２１の継ぎ合わせ側に位置する接続側面１２１ａにおいて、隣り合う液晶パネル１２１と接着剤等により継ぎ合わせる。
【００２６】
縦の方向に伸びる画素１２２の画素列をＸ１、Ｘ２、・・・、Ｘ６４０（ｎ＝６４０）とし、この画素列と平行な接続側面１２１ａに最も近い画素列をＸ１、その反対側に位置する最もその接続側面１２１ａから遠い画素列をＸ６４０とする。また隣り合う画素列間の幅、つまり画素１２２の一辺から隣り合う画素１２２の一辺までの遮光領域の幅をｄｘ１、ｄｘ２、・・・、ｄｘ６３９とすると、画素列Ｘ１と隣り合う画素列Ｘ２間の幅はｄｘ１、画素列Ｘ６４０と隣り合う画素列Ｘ６３９間の幅はｄｘ６３９となる。また画素列Ｘ１と接続側面１２１ａまでの遮光領域の幅をｇとする。
【００２７】
この態様においては、隣り合う液晶パネル１２１における両Ｘ１間の幅はｇの２倍となり、これが液晶パネル１２１同士を継ぎ合わせた際の継ぎ目部分における遮光領域の幅となる。またｄｘ１は継ぎ目部分の２ｇより若干短いか又は略同じになっている。またｄｘ１とｄｘ６３９とはｄｘ１＞ｄｘ６３９となっている。そして画素列間の幅ｄｘ１、ｄｘ２、・・・、ｄｘ６３９はｄｘ１＞ｄｘ２＞・・・＞ｄｘ６３９となっており、画素列Ｘ１からＸ６４０の方向に向かうにつれて、徐々にその幅を縮めていくように変化している。
【００２８】
このように、継ぎ目部分の幅２ｇとその隣における画素列間の幅ｄｘ１とが略等しいと共に、画素列間の幅ｄｘ１、ｄｘ２、・・・、ｄｘ６３９が徐々に縮まっていくことにより、大型液晶表示装置１２０において十字状に生じる継ぎ目部分の内、縦方向に伸びる継ぎ目は徐々に変化して行く画素列間の幅により目立たなくなる。
【００２９】
以上は横方向に複数の液晶パネルを継ぎ合わせた場合についての説明であるが、縦方向に複数の液晶パネルをつなぎ合わせる場合ついても同様であるので、この場合の詳細な説明は省略する。
【００３０】
なお、この態様においては画素列間、画素行間の幅は徐々に短くなっているが、これは例えば画素列、画素行をいくつかに区切り、その区間の間においては画素列間、画素行間の幅を等しくし、区切りとなるところで画素列間、画素行間の幅を縮めるような場合も含まれる。またｄｘ６３９、ｄｙ３８３がｇ、ｇ’と等しくなっているが、ｄｘ６３９、ｄｙ３８３はｇ、ｇ’より短くすることも可能である。
【００３１】
上記図１２に示された例では、上記先願１に開示された発明と同様に、前記液晶パネルは縦方向に伸びる複数の画素列を形成すると共に、前記画素列の周りに遮光部を形成しており、隣り合う前記画素列が前記遮光部の幅を狭めるように接近してなる画素列群が、前記液晶パネル全体にわたって複数形成されており、隣り合う前記画素列群の間の前記遮光部の幅は、前記画素列群における前記画素列の間の前記遮光部の幅より広くなっている液晶パネルを縦横に複数枚継ぎ合わせた液晶表示装置に対しても適用し得る。
【００３２】
この場合の具体例を図１３に示し、この図において図１２の構成と同じ部分については同じ符号を付して説明することとする。図１３に示された液晶パネル１２１においては、各画素の複数個が画素群１２４を形成している。画素群１２４はそれぞれにおける画素１２２の数を同じにして、隣り合う画素１２２を寄せたものであり、画素群１２４においては画素１２２同士の間隔が狭くなっている。本実施形態において１つの画素群１２４は隣り合った縦方向の２つの画素１２２、横方向の２つの画素１２２の計４つの画素からなっているが、これに限定されるものではなく、たとえば縦に１つ、横に２つからなる２つの画素１２２の画素群１２４であっても良い。画素群１２４自体は液晶パネル１２１全体において総て同じ大きさをしている。
【００３３】
縦の方向に伸びる画素群１２４の画素群列はＸ’１、Ｘ’２、・・・、Ｘ’３２０（ｎ＝３２０）であり、この画素群列と平行な接続側面１２１ａに最も近い画素群列をＸ’１、最も遠い画素群列をＸ’３２０とする。また隣り合う画素群列間の幅はｄｘ’１、ｄｘ’２、・・・、ｄｘ’３１９である。本実施形態において画素群列間の幅ｄｘ’１、ｄｘ’２、・・・、ｄｘ’３１９を画素群列Ｘ’１からＸ’３２０の方向に向かうにつれて、徐々にその幅を縮めていくように変化している。
【００３４】
このように、隣り合う画素１２２を一定数ずつ寄せ集めた画素群１２４を形成すると共に、画素群列間の幅ｄｘ’１、ｄｘ’２、・・・、ｄｘ’３１９が徐々に縮まっていくことにより、大型液晶パネル１０において十字状に生じる継ぎ目部分の内、縦方向に伸びる継ぎ目は徐々に変化して行く画素群列間の幅により目立たなくなると共に、図１２に示す実施形態に比ベ液晶パネル１０全体における開口率の低下を抑えることができる。
【００３５】
以上は横方向に複数の液晶パネルを継ぎ合わせた場合についての説明であるが、縦方向に複数の液晶パネルをつなぎ合わせる場合ついても同様であるので、この場合の詳細な説明は省略する。
【００３６】
このように、図１３に係る実施形態においては、先願２に係る発明においては、隣り合う画素１２２を一定数ずつ寄せ集めた画素群１２４を形成すると共に、画素群行間が徐々に縮まっていくことにより、大型液晶パネル１０において十字状に生じる継ぎ目部分の内、横方向に伸びる継ぎ目は徐々に変化して行く画素群行間の幅により目立たなくなると共に、図１２に示す実施形態に比べ液晶パネル１０全体における開口率の低下を抑えることができる。
【００３７】
【発明が解決しようとする課題】
上述した先願１及び先願２に開示された発明によれば、継ぎ目部分での遮光部の幅がある程度大きくても継ぎ目が目立たないようになるが、例えばまっすぐにのびる斜線を表示しようとすると、斜線が全体的に曲がって表示されてしまう等、本来表示したい映像を忠実に表示できないという問題点が存在していた。そしてこれは液晶表示装置が大型になればなるほど観察者によって顕著に認識されてしまう。
【００３８】
そこで本発明者は、継ぎ目部分での遮光部の幅がある程度大きくても継ぎ目部分が目立ち難く、そして本来表示したい映像を忠実に再現できる表示品位の高い液晶表示装置を得るべく種々実験を繰り返した。その結果、継ぎ目部分から通常部分への遮光部の幅を段階的に減らしていくと、開口率の低下を最小限に留め、かつ継ぎ目を目立たなくすることができる。さらには継ぎ目部分の遮光部の幅が太い部分およびその近傍部分において画素幅を小さくしておき、通常部分に向って遮光部の幅が細くなるのに対応して画素幅も通常範囲まで増やしていくと、画素ピッチを一定に保つことができるので、斜線をまっすぐに表示できることを見出し、本願発明を完成するに至ったのである。
【００３９】
すなわち、本発明は複数の液晶パネルから構成される超大型液晶表示装置において、複数の液晶パネルを継ぎ合わせた際の継ぎ目が目立たず、本来表示したい映像を忠実に再現可能な表示品位の高い液晶表示装置を提供することを目的とする。
【００４０】
【課題を解決するための手段】
本願発明の上記目的は以下の構成を採用することにより達成することができる。すなわち、本発明の第１の態様においては、複数の液晶パネルを縦方向及び／又は横方向に継ぎ合わせた継ぎ目部を有する液晶表示装置において、各前記液晶パネルには周辺を遮光部で囲まれた画素が複数形成されており、該画素は縦方向にのびる複数の画素列及び／又は横方向にのびる複数の画素行を形成しており、前記各画素の大きさは、前記継ぎ目部から離れるにしたがって、前記継ぎ目部に最も近い画素の大きさよりも順次大きくされ、隣り合う前記画素列間の遮光部の幅及び／又は隣り合う前記画素行間の遮光部の幅は、前記継ぎ目部から離れるにしたがって、前記継ぎ目部の遮光部の幅よりも順次小さくなるようになされている、液晶表示装置が提供される。
【００４１】
係る態様によれば、継ぎ目部分に近いところでは遮光部の幅が継ぎ目部分の幅とほぼ等しくでき、継ぎ目部分から離れるにしたがって遮光部の幅が順次小さくなっていくので、たとえ継ぎ目部分の幅が大きくても、継ぎ目部分が目立たなくなるとともに、各画素の大きさは、前記継ぎ目部から離れるにしたがって、前記継ぎ目部に最も近い画素の大きさよりも順次大きくされているから、例えば本来まっすぐな斜線を表示したいときにまっすぐな斜線を表示することができる等、本来表示したい映像を忠実に再現することができる。
【００４２】
また、係る態様においては、隣り合う前記画素列間の遮光部の幅及び／又は隣り合う前記画素行間の遮光部の幅及び各画素の大きさが予め定めた所定値に達した場合には、前記継ぎ目部から離れても該所定値に維持されていることことが望ましく、さらに、前記各画素間のピッチが前記各液晶パネル全体にわたり一定とすることが望ましい。
【００４３】
本発明の第２の態様によれば、複数の液晶パネルを縦方向及び／又は横方向に継ぎ合わせた継ぎ目部を有する液晶表示装置において、各前記液晶パネルには複数の画素が形成されると共に、周辺を遮光部で囲んで配置された複数の画素群が形成されており、該画素群は周辺を遮光部で囲まれた複数の画素を寄り集めるようにして構成すると共に、前記隣り合う画素群間の遮光部の幅が前記画素群内の各画素間の遮光部の幅より広くなっており、該画素群は縦方向にのびる複数の画素群列及び／又は横方向にのびる複数の画素群行を形成しており、前記各画素群の大きさは、前記継ぎ目部から離れるにしたがって、前記継ぎ目部に最も近い画素群の大きさよりも順次大きくされ、隣り合う前記画素群列間の遮光部の幅及び／又は隣り合う前記画素群行間の遮光部の幅は、前記継ぎ目部から離れるにしたがって、前記継ぎ目部の遮光部の幅よりも順次小さくなるようになされている、液晶表示装置が提供される。
【００４４】
係る態様によれば、継ぎ目部分に近いところでは各画素群間の遮光部の幅が継ぎ目部分の幅とほぼ等しくでき、継ぎ目部分から離れるにしたがって各画素群間の遮光部の幅が順次小さくなっていくので、たとえ継ぎ目部分の幅が大きくても、継ぎ目部分が目立たなくなるとともに、各画素群の大きさは、前記継ぎ目部から離れるにしたがって、前記継ぎ目部に最も近い画素群の大きさよりも順次大きくされているから、例えば本来まっすぐな斜線を表示したいときにまっすぐな斜線を表示することができる等、本来表示したい映像を忠実に再現することができる。
【００４５】
係る態様に置いては、前記各画素群の大きさを、前記各画素群中の各画素の大きさを前記各画素群が前記継ぎ目部から離れるにしたがって順次大きくすることにより、前記継ぎ目部から離れるにしたがって前記継ぎ目部に最も近い画素群の大きさよりも順次大きくなるようになすか、或いは、前記各画素の大きさを全て同一とし、前記各画素群内の各画素間の遮光部の幅を変えることにより、前記継ぎ目部から離れるにしたがって前記継ぎ目部に最も近い画素群大きさよりも順次大きくなるようになされていることが望ましい。さらに、係る態様においては、前記隣り合う画素群間の遮光部の幅及び前記各画素群の大きさは、それぞれ予め定めた所定値に達した場合には、前記継ぎ目部から離れても該所定値に維持されているものとなすことが好ましく、また、前記各画素群がそれぞれ２つの画素行及び２つの画素列からなる計４個の画素からなることものとすることが望ましい。
【００４６】
【発明の実施の形態】
以下、本発明の具体例を実施例及び比較例を用いて詳細に説明する。
（実施例１及び比較例１、２）
実施例１及び比較例１、２としては、各液晶パネルに複数の画素が形成されている液晶表示装置である。画素は縦方向、横方向に整列して形成されており、縦方向に並ぶ画素によって画素列が複数形成されている。そして横方向に並ぶ画素によって画素行が複数形成されている。画素の周りはブラックマトリクスからなる遮光部が形成されており、バックライト（図示せず）からの光はこの遮光部によって遮光される。
【００４７】
まず、実施例１で用いた液晶パネル１２の特性は次のとおりである。
【００４８】
（１）各画素１３の大きさ：継ぎ目から離れるにしたがって、遮光部の幅が一定値になるまで、５０μｍずつ大きくした。
【００４９】
（２）継ぎ目部分の遮光部の幅２ｒ：１０００μｍ。
【００５０】
（３）画素ピッチＰ：１７００μｍ（パネル全体にわたり一定）。なお画素ピッチＰとは画素の幅と隣の画素までの遮光部の幅をたしたものである。
【００５１】
（４）遮光部の幅：継ぎ目から離れるにしたがって１画素ごとに、遮光部の幅が７００μｍになるまで、遮光部の幅を５０μｍずつ小さくし、その他の部分の遮光部の幅を７００μｍの一定値とした。
【００５２】
この液晶パネル１２を２つ継ぎ合わせて液晶表示装置１０を作成した。すなわち、図１において、継ぎ目部分１２’から離れるにしたがって、各画素間の遮光部の幅Ｓ１、Ｓ２、Ｓ３・・・Ｓｎ間には、Ｓ１−Ｓ２＝Ｓ２−Ｓ３＝・・・＝Ｓ（ｎ−１）−Ｓｎ＝５０μｍ（ただし、ｎ≦６）の関係があり、また、各画素の幅Ｍ１、Ｍ２、Ｍ３・・・Ｍｎ間にはＭ２−Ｍ１＝Ｍ３−Ｍ２＝・・・＝Ｍｎ−Ｍ（ｎ−１）＝５０μｍ（ただし、ｎ≦６）の関係がある。
【００５３】
この液晶表示装置１０に斜線を表示させたところ、その継ぎ目近傍の拡大図は図１に示すとおりになった。なお、図１に示されている斜線は、表示された画像の最上位の画素の右下部分と最下位の画素の右下部分を直線で結んだものである（この点に関しては図２及び図３においても同じ。）。
【００５４】
また、比較例１における液晶パネル２２の特性は次のとおりである。
【００５５】
（１）各画素２３の大きさ：パネル全体にわたり全て一定。
【００５６】
（２）画素ピッチＰ＝１７００μｍ（パネル全体にわたり一定）。
【００５７】
（３）継ぎ目部分の遮光部の幅２ｒ＝１０００μｍ。
【００５８】
この液晶パネル２２を２つ継ぎ合わせて液晶表示装置２０を作成した。この液晶表示装置２０に斜線を表示させたところ、その継ぎ目近傍の拡大図は図２に示すとおりになった。
【００５９】
また、比較例２で用いた液晶パネル３２の特性は次のとおりである。
【００６０】
（１）各画素３３の大きさ：パネル全体にわたり一定。
【００６１】
（２）継ぎ目部分の遮光部の幅２ｒ：１０００μｍ。
【００６２】
（３）遮光部の幅：継ぎ目部分から離れるにしたがって１画素ごとに、遮光部の幅が７００μｍになるまで、遮光部の幅を５０μｍずつ小さくし、その他の部分の遮光部の幅を７００μｍの一定値とした。
【００６３】
この液晶パネル３２を２つ継ぎ合わせて液晶表示装置３０を作成した。すなわち、図３において、継ぎ目部分３２’から離れるにしたがって、各画素間の遮光部の幅Ｓ１、Ｓ２、Ｓ３・・・Ｓｎ間には、Ｓ１−Ｓ２＝Ｓ２−Ｓ３＝・・・＝Ｓ（ｎ−１）−Ｓｎ＝５０μｍ（ただし、ｎ≦６）の関係がある。この液晶表示装置３０に斜線を表示させたところ、その継ぎ目近傍の拡大図は図３に示すとおりになった。
【００６４】
図１〜図３を参照し、また実際の表示画像を目視により観察すると、比較例１のものは液晶パネル２２単体でみると斜線はまっすぐ表示されるが、液晶表示装置２０全体としてみると継ぎ目部分２２’で斜線がずれたように表示されてしまう。また継ぎ目部分２２’が目立ってしまうために表示品位の低いものとなってしまう。また比較例２は継ぎ目部分３２’が目立ち難くなっているが、本来まっすぐな斜線を表示したいにもかかわらず、斜線が曲がって表示されてしまう。これらに対して実施例１はまっすぐな斜線が表示されているだけでなく、継ぎ目部分１２’も目立ち難くなっている。
【００６５】
また、実施例１においては各画素１３の大きさ及び遮光部の幅が予め定めた所定値に達した場合には継ぎ目部から離れても所定値に維持されている。したがって液晶表示装置１０全体における開口率の変化を抑えることができる。つまり、各画素１３の大きさ及び遮光部の幅が液晶パネル１２全体にわたって変化すると、ある一定範囲における開口率が液晶表示装置１０の任意の箇所において常に異なる。一方実施例１の場合であれば継ぎ目部分１２’付近において開口率が変化するが、各画素１３の大きさ及び遮光部の幅が予め定めた所定値に達した後は、開口率が変わらない。したがって液晶表示装置１０の全体の輝度ムラを抑えることができる。特に液晶表示装置１０が大きくなればなるほど、液晶パネル１２全体にわたって各画素１３の大きさ及び遮光部の幅を変えなくても同様の効果を得ることができる。なお画素の大きさ及び遮光部の幅が変化しなくなる所定値は、液晶パネル１２の大きさ、画素の総数や観察者による観察データ等に基づき定められこととなる。
【００６６】
なお、この実施例１及び比較例１及び２においては、複数の液晶パネルを水平方向に継ぎ合わせたものについて検討したが、上下方向に継ぎ合わせたもの及び上下左右方向に４枚の液晶パネルを組み合わせたものについても同様の効果が得られた。
（実施例２及び比較例３〜５）
実施例２及び比較例３〜５としては、各液晶パネルに形成された複数の画素により画素群が液晶パネル全体にわたって形成されている液晶表示装置である。画素群は縦方向、横方向に整列して形成されており、縦方向に並ぶ画素群によって画素群列が複数形成され、横方向に並ぶ画素によって画素群行が複数形成されている。そしてこの各画素群は隣り合う数個の画素によって構成されており、画素群を構成する画素の遮光部の幅は隣り合う画素群同士の遮光部の幅に比べ非常に狭くなっている。つまり周辺を遮光部で囲んで配置されている複数の画素群は、周辺を遮光部で囲まれた複数の画素を寄り集めるようにして構成されており、隣り合う画素群間の遮光部の幅が画素群内の各画素間の遮光部の幅より広くなっている。具体的には図４〜７に示したように、画素４つを寄せたものに適用した結果を示した。なお、このように画素を寄せたものの画素ピッチは、選択した画素の位置に応じて変化するので、各画素群の間のピッチ、すなわち画素群間ピッチで表した。この画素群ピッチとは画素群の幅と隣の画素群までの遮光部の幅をたしたものである。
【００６７】
実施例２における各液晶パネルの特性は次のとおりである。
【００６８】
（１）各画素の大きさ：パネル全体にわたり一定。
【００６９】
（２）各画素群の大きさ：画素群を構成している４つの画素における画素間の遮光部の幅を変化させることにより大きさを変えている。そして各画素群の大きさを継ぎ目から離れるにしたがって、各画素群間の遮光部の幅が７００μｍになるまで、５０μｍずつ大きくし、その他の部分の画素群の大きさは全て一定とした。
【００７０】
（３）画素群ピッチＰ＝１７００μｍ（パネル全体にわたり一定）。
【００７１】
（４）継ぎ目部分の遮光部の幅：１０００μｍ。
【００７２】
（５）各画素群間の遮光部の幅：継ぎ目から離れるにしたがって１画素群ごとに、その遮光部の幅が７００μｍになるまで、５０μｍずつ小さくし、その他の部分の画素群間の遮光部の幅を７００μｍの一定値とした。
【００７３】
この液晶パネルを２つ継ぎ合わせて液晶表示装置を作成した。この液晶表示装置に斜線を表示させたところ、その継ぎ目近傍の拡大図は図４（Ｂ）に示すとおりになった。なお、図４（Ａ）上部の矢印部分は２つの液晶パネルの継ぎ合わせた部分であり、また、図４（Ｂ）には参考のために円形のドットの表示画像も示した。
【００７４】
なお、前記実施例２では、画素の大きさを全て同一とし、前記各画素群内の各画素間の遮光部の幅を変えることにより各画素群の大きさを変化させたが、各画素群中の各画素の大きさを変化させることにより各画素群の大きさを実施例２と同様に変化させても同様の結果が得られた。
【００７５】
比較例３における各液晶パネルの特性は次のとおりである。
【００７６】
（１）各画素の大きさ：パネル全体にわたり一定。
【００７７】
（２）各画素群の大きさ：パネル全体にわたり一定。
【００７８】
（３）継ぎ目部分の遮光部の幅：１０００μｍ。
【００７９】
（４）画素群間の遮光部の幅：７００μｍ（パネル全体にわたり一定）
この液晶パネルを２つ継ぎ合わせて液晶表示装置を作成した。この液晶表示装置に斜線を表示させたところ、その継ぎ目近傍の拡大図は図５（Ｂ）に示すとおりになった。なお、図５（Ａ）上部の矢印部分は２つの液晶パネルの継ぎ合わせた部分である。
【００８０】
比較例４における各液晶パネルの特性は次のとおりである。
【００８１】
（１）各画素の大きさ：パネル全体にわたり一定。
【００８２】
（２）各画素群の大きさ：パネル全体にわたり一定。
【００８３】
（３）継ぎ目部分の遮光部の幅：１０００μｍ。
【００８４】
（４）画素群間の遮光部の幅：継ぎ目部分から離れるにしたがって１画素群ごとに、遮光部の幅が７００μｍになるまで、遮光部の幅を５０μｍずつ小さくし、その他の部分の遮光部の幅を７００μｍの一定値とした。
【００８５】
この液晶パネルを２つ継ぎ合わせて液晶表示装置を作成した。この液晶表示装置に斜線を表示させたところ、その継ぎ目近傍の拡大図は図６（Ｂ）に示すとおりになった。なお、図６（Ａ）上部の矢印部分は２つの液晶パネルの継ぎ合わせた部分であり、また、図６（Ｂ）には２本の斜線を表示位置を変えて表示した画像を示す。
【００８６】
比較例５における各液晶パネルの特性は次のとおりである。
【００８７】
（１）各画素の大きさ：パネル全体にわたり一定。
【００８８】
（２）各画素群の大きさ：画素群を構成している４つの画素における画素間の遮光部の幅を変化させることにより大きさを変えている。そして各画素群の大きさが所定値になるまでは、各画素群の大きさを継ぎ目から離れるにしたがって５０μｍずつ大きくした。
【００８９】
（３）継ぎ目部分の遮光部の幅：１０００μｍ。
【００９０】
（４）画素群間の遮光部の幅：７００μｍ（パネル全体にわたり一定）
この液晶パネルを２つ継ぎ合わせて液晶表示装置を作成した。この液晶表示装置に斜線を表示させたところ、その継ぎ目近傍の拡大図は図７（Ｂ）に示すとおりになった。なお、図７（Ａ）上部の矢印部分は２つの液晶パネルの継ぎ合わせた部分であり、また図７（Ｂ）には参考のために円形のドットの表示画像も示した。
【００９１】
図４〜図７を参照し、また実際の表示画像を目視により観察すると、次のとおりとなった。まず比較例３は総ての画素群の大きさ及び遮光部の幅が一定であるため、各パネル単体で見るとまっすぐな斜線を表示できているが、表示装置全体でみると継ぎ目部分で斜線がずれたように表示されており、またそもそも継ぎ目部分が非常に目立ってしまう。比較例４は継ぎ目部分が目立ち難くなっているが、本来まっすぐな斜線を表示したいにもかかわらず、斜線が曲がって表示されてしまう。比較例５は継ぎ目部分が非常に目立っている。また画素群ピッチが変化するために本来まっすぐに表示したい斜線が曲がって表示されており、また円形ドットの歪が大きく、特に継ぎ目部分ではその歪がより一層大きい。
【００９２】
これらに対して画素群サイズを継ぎ目部分から離れるにしたがって大きくして遮光部の幅も継ぎ目部分から離れるにしたがって小さくした実施例２は、継ぎ目は非常に目立ち難い。またまっすぐな斜線が表示されており、円形ドットの歪みも比較的少なく、比較例３〜５のものに比すると最も良好な画像表示画質を備えていることが確認できた。
【００９３】
また、実施例２においても各画素群の大きさ及び遮光部の幅が予め定めた所定値に達した場合には継ぎ目部から離れても所定値に維持されている。したがって液晶表示装置全体における開口率の変化を抑えることができる。なお画素群の大きさ及び遮光部の幅が変化しなくなる所定値は、液晶パネルの大きさ、画素の総数や観察者による観察データ等に基づき定められこととなる。
【００９４】
なお、この実施例２及び比較例３〜５においては、複数の液晶パネルを水平方向に継ぎ合わせたものについて検討したが、上下方向に継ぎ合わせたもの及び上下左右方向に４枚の液晶パネルを組み合わせたものについても同様の効果が得られた。
【００９５】
【発明の効果】
以上述べたとおり、本発明によれば、継ぎ目部分での遮光部の幅がある程度大きくても継ぎ目が目立ち難く、本来表示したい映像が忠実に再現できる表示品位の高い液晶表示装置を得ることができる。
【図面の簡単な説明】
【図１】実施例１に対応する液晶表示装置に斜線を表示させた状態を示す図である。
【図２】比較例１に対応する液晶表示装置に斜線を表示させた状態を示す図である。
【図３】比較例２に対応する液晶表示装置に斜線を表示させた状態を示す図である。
【図４】実施例２に対応し、（Ａ）は液晶表示装置の継ぎ目部分の拡大図、（Ｂ）は斜線及び円形ドットを表示させた状態を示す図である。
【図５】比較例３に対応し、（Ａ）は液晶表示装置の継ぎ目部分の拡大図、（Ｂ）は斜線を表示させた状態を示す図である。
【図６】比較例４に対応し、（Ａ）は液晶表示装置の継ぎ目部分の拡大図、（Ｂ）は斜線を表示させた状態を示す図である。
【図７】比較例５に対応し、（Ａ）は液晶表示装置の継ぎ目部分の拡大図、（Ｂ）は斜線及び円形ドットを表示させた状態を示す図である。
【図８】従来例の液晶表示装置を説明する図である。
【図９】従来例の液晶表示装置の継ぎ目部の状態を説明する図である。
【図１０】先願１の液晶表示装置を説明する図である。
【図１１】図１１（ａ）は従来例の液晶表示装置の継ぎ目部近傍の状態を説明する図であり、図１１（ｂ）は先願１の液晶表示装置の継ぎ目部近傍の状態を説明する図である。
【図１２】先願２の第１の態様に係る液晶表示装置を説明する図である。
【図１３】先願２の第２の態様に係る液晶表示装置を説明する図である。
【符号の説明】
１０　液晶表示装置
１２　液晶パネル
１２’継ぎ目部
１３　画素
【図１】
2004125848.tif 000003
【図２】
2004125848.tif 000004
【図３】
2004125848.tif 000005
【図４】
2004125848.tif 000006
【図５】
2004125848.tif 000007
【図６】
2004125848.tif 000008
【図７】
2004125848.tif 000009
【図８】
2004125848.tif 000010
【図９】
2004125848.tif 000011
【図１０】
2004125848.tif 000012
【図１１】
2004125848.tif 000013
【図１２】
2004125848.tif 000014
【図１３】
2004125848.tif 000015